(57)【要約】      （修正有）【課題】リサイクルセンタ、材料ふるい分け場、ごみ処分地または移動する作業現場で直面するニーズに汎用的な態様で適合し得る固形物分離用のディスクスクリーンの提供。【解決手段】それぞれが複数のディスクを支える平行な複数の回転シャフト３を備え、入力セクションと出力セクションとの間で残留物を処理するためのスクリーニング面を形成する、固体残留物分離用のディスクスクリーン１で、スクリーニング面の上方で、残留物の推進方向に沿って支持構造２に摺動可能に取り付けられた可動ホッパ１１が設けられ、可動ホッパは、異なる位置でスクリーニング面に供給できる出口扉１２を備えることを特徴とする固体残留物分離用のディスクスクリーン。【選択図】図１
2019089059.tif 000002
【特許請求の範囲】
【請求項１】
−  支持構造（２）と；
−  互いに平行な、前記支持構造（２）に回転可能に取り付けられた、入力セクション（５）と出力セクション（６）との間に残留物推進方向（Ｘ）に沿った細長い延長部を有するスクリーニング面（Ｐ）を形成する複数の回転シャフト（３）と；
−  前記回転シャフトをそれらの長手方向延長軸線（Ｙ）を中心に回転するように支えるために前記回転シャフト（３）を駆動するための駆動手段（４）と；
−  前記回転シャフト（３）に沿って互いに離間して連続して軸方向に取り付けられた複数のディスク（８）と；を備える固体残留物分離用のディスクスクリーン（１）において、
−  前記スクリーニング面（Ｐ）の上方で、前記残留物の前記推進方向（Ｘ）に沿って前記支持構造（２）に摺動可能に取り付けられた可動ホッパ（１１）であり、前記残留物推進方向（Ｘ）に沿った前記スクリーニング面（Ｐ）に供給する出口扉（１２）を備える可動ホッパ（１１）と；
−  前記スクリーニング面（Ｐ）に沿った異なる位置に前記出口扉（１２）を配置するために、前記残留物の前記推進方向（Ｘ）に沿って前記可動ホッパ（１１）を移動させるのに適した移動手段（１３）とを備えることを特徴とする固体残留物分離用のディスクスクリーン（１）。
【請求項２】
前記移動手段（１３）が、
−  前記支持構造（２）に取り付けられ、前記可動ホッパ（１１）に固定された少なくとも１つの対応するガイド（１５）によって係合された少なくとも１つの軌道（１４）と；
−  前記支持構造（２）および前記可動ホッパ（１１）に接続されて、前記推進方向（Ｘ）に沿って前記可動ホッパを移動させる少なくとも１つの線形アクチュエータ（１３）とを備えることを特徴とする、請求項１に記載の固体残留物分離用のディスクスクリーン（１）。
【請求項３】
前記可動ホッパ（１１）が、前記出口扉（１２）に前記推進方向（Ｘ）と交差するように取り付けられたオーガ（１７）を備え、前記オーガ（１７）が、電気モータ（１８）によって回転駆動され、前記スクリーニング面（Ｐ）に積載される残留物の流量を制御することを特徴とする、請求項１に記載の固体残留物分離用のディスクスクリーン（１）。
【請求項４】
前記出口扉（１２）が、前記可動ホッパ（１１）の底部（１１０）と、前記オーガ（１７）との間に形成されており、前記オーガ（１７）が、前記出口扉（１２）のエリアを変化させるために前記底部（１１０）に対して調節可能な高さで取り付けられていることを特徴とする、請求項４に記載の固体残留物分離用のディスクスクリーン（１）。
【請求項５】
前記複数の回転シャフト（３）が、前記入力セクション（５）の方から、第１のスクリーニングセクションを備えるとともに前記スクリーニング面（Ｐ）の第１の部分（Ｐ１）を形成する第１の回転シャフト（３Ａ）の組と、第２のスクリーニングセクションを備えるとともに前記スクリーニング面（Ｐ）の第２の部分（Ｐ２）を形成する第２の回転シャフト（３Ｂ）の組とを備え、前記第１および第２の回転シャフト（３）の組が、異なるスクリーニングセクションを備えることを特徴とする、請求項１に記載の固体残留物分離用のディスクスクリーン（１）。
【請求項６】
前記可動ホッパ（１１）が、前記スクリーニング面（Ｐ）の前記第１の部分（Ｐ１）に供給する少なくとも１つの第１の動作位置（Ａ）と、前記スクリーニング面（Ｐ）の前記第２の部分（Ｐ２）に供給する第２の動作位置（Ｂ）との間を、前記移動手段（１３）によって移動するように作動可能であることを特徴とする、請求項５に記載の固体残留物分離用のディスクスクリーン（１）。
【請求項７】
前記スクリーニング面（Ｐ）の前記第２の部分（Ｐ２）を通過した前記残留物をそこから受けるように前記スクリーニング面（Ｐ）の前記第２の部分（Ｐ２）の下方に配置された少なくとも１つの第１のコンベヤベルト（１９）と、前記第１のコンベヤベルト（１９）と実質的に一直線上に置かれ、前記スクリーン（１）の外部に前記残留物を誘導するように前記第１のコンベヤベルト（１９）から前記残留物を受ける第１の排出ベルト（２０）とを備えることを特徴とする、請求項６に記載の固体残留物分離用のディスクスクリーン（１）。
【請求項８】
前記スクリーニング面（Ｐ）の前記第１の部分（Ｐ１）を通過した前記残留物を前記スクリーン（１）の外部に誘導するように、前記スクリーニング面（Ｐ）の前記第１の部分（Ｐ１）の下方に、前記推進方向（Ｘ）と実質的に交差するように配置された第２の排出ベルト（２１）を備えることを特徴とする、請求項７に記載の固体残留物分離用のディスクスクリーン（１）。
【請求項９】
前記推進方向（Ｘ）と実質的に交差するように配置され、前記スクリーニング面（Ｐ）の前記回転シャフト（３）から前記残留物を受ける第２のコンベヤベルト（２２）と、前記推進方向（Ｘ）と交差するように配置され、前記第２のコンベヤベルト（２２）と一直線上に置かれ、前記残留物を前記スクリーン（１）の外部に誘導するために、前記第２のコンベヤベルトから前記残留物を受ける第３の排出ベルト（２３）とを備えることを特徴とする、請求項７に記載の固体残留物分離用のディスクスクリーン（１）。
【請求項１０】
前記第３の排出ベルト（２３）が、前記第２のコンベヤベルト（２２）から受けた、前記スクリーニング面（Ｐ）の前記出力セクション（６）から来る前記残留物を、粉砕または破砕機構（２４）に排出するように構成されており、前記可動ホッパ（１１）が、前記残留物の処理ループを得るように、破砕された前記残留物を前記粉砕または破砕機構（２４）から受けるように構成されていることを特徴とする、請求項８および９に記載の固体残留物分離用のディスクスクリーン（１）。
【発明の詳細な説明】
【技術分野】
【０００１】
本発明は、独立請求項１の前文による固形物分離用のディスクスクリーンに関する。
【０００２】
当該ディスクスクリーンは、例えば：都市固形廃棄物、河成不活性物、分別ごみ収集物の有機画分から成る生成物、コンポスト（その精製用）、再生木材、バイオマス、不活性材、解体材、埋立地およびごみ処分地の埋立材、ガラス、プラスチック、金属くず、さらに他の材料などの様々なタイプの固形物を分離するためにそれ自体で従来の方法で使用されることを予定されている。
【０００３】
本発明によるディスクスクリーンは、よって、産業用固形残留物の処理産業の一部であり、有利には、残留物を粉砕または破砕するための機構の下流または上流に設置されることが意図される。
【背景技術】
【０００４】
以下において、用語「残留物」は、寸法および／または質量に基づいて、その成分に分離されることを要する任意の固形物を示すために、区別せずに、かつ簡略化するために使用される。
【０００５】
リサイクルセンタ、材料ふるい分け場、ごみ処分地または移動する作業現場に到達できる可動式またはロールオフ式のディスクスクリーンが、市場では知られている。
【０００６】
かかるスクリーンは概して、支持構造を備え、支持構造は、スクリーンがロールオフタイプである場合には地面に直接置かれ、可動タイプである場合には下部に無限軌道が取り付けられる。
【０００７】
さらに、スクリーンは、平行な複数の回転シャフトを備え、回転シャフトは、支持構造に回転可能に取り付けられ、モータに接続されたチェーンによって、その軸線を中心に回転するように支えられる。
【０００８】
複数のスリーブによって互いに離間した複数のディスクが、回転シャフトに沿って連続して軸方向に取り付けられる。
【０００９】
そして、スクリーンのディスクによって分離された残留物の最小画分を収集するための下側コンベヤベルトが、シャフトの下に設けられる。
【００１０】
ディスクを有するシャフトは、スクリーンのスクリーニング面を形成する。
【００１１】
スクリーンは、外側に突出したブラケット状の枠組みに取り付けられた２つの排出コンベヤベルトをさらに備え、排出コンベヤベルトは、下側コンベヤベルトの出口および複数のスクリーニングシャフトの出口でスクリーンの支持構造に関連付けられる。
【００１２】
動作的に、上側のスクリーニング面は、一般に粉砕機から処理される残留材料の連続流を受け、主に寸法に応じて２つの画分への分離をもたらし、画分の一方が粗い材料から成り、一方が細かい材料から成り、分離された画分が２つの排出コンベヤベルト上で離れるように移動される。
【００１３】
シャフトのディスクおよびスリーブは、相互にスクリーニングセクションの寸法、すなわち、残留材料の分離寸法を規定する。
【００１４】
スクリーニングセクションを変化させるために、シャフトの回転速度を修正すること、スペーサスリーブの交換によってディスク間の距離を変化させること、または、シャフト間の中心間距離を変更すること（この場合には大幅な構造の修正、特にチェーン伝達手段の変更を行う必要がある）も知られている。
【００１５】
実際には可動式タイプではないが、既知のタイプのディスクスクリーンの例が、独国特許発明第６２０８８５号明細書に記載されている。
【００１６】
本明細書に概ね記述される既知のタイプの可動式またはロールオフ式のスクリーンは、いくつかの欠点を具体的に明らかにした。
【００１７】
第１の欠点は、スクリーンが、連続した均一な方法で供給される場合に最適に動作する点である。万一、残留物の塊をスクリーニングする必要が生じた場合、連続流を作り出し、かかる流れを用いてスクリーニング面を供給するための外部ホッパを設ける必要が生じる。
【００１８】
かかる技術的解決策は、負担となり、複雑であり、スクリーン積載機構の設置に長時間を要し、よってスクリーニングプロセスのコストに相当な影響を及ぼす。
【００１９】
さらなる欠点は、粉砕および破砕機構が、標準的な特徴を満たさない粉砕生成物を排出するためのコンベヤベルトを有しており、よって、可能となる最良な方法でスクリーニング面に積載するには必ずしも適しておらず、よって、粉砕または破砕機構のベルトを修正したり、専用のコンベヤベルトを設置したりする必要があり、そうでなければ、例えば、一部の粉砕材料がコンベヤベルトから落下するような最適ではない積載を甘受する必要がある点である。
【００２０】
さらに、処理される材料の流量が、一定であり、スクリーニング面の長さに対して適切でなければならないことに留意すべきである。さらに、ディスクの速度が、処理される残留材料の寸法の変動に際して、スクリーニング作用の変動を許容するように都合よく修正されなければならない。
【００２１】
現在の可動式またはロールオフ式のスクリーンは、粉砕または破砕機構によって供給されるときでも、スクリーニング面への供給流量を調節できないというさらなる欠点を有する。
【００２２】
現在の可動式またはロールオフ式のスクリーンはまた、例えば、単一の動作モードを有する２つのスクリーン画分によって動作するか、３つのスクリーン画分によって動作するかを選ぶことができないなど、動作汎用性を有していないというさらなる欠点を明らかにする。粉砕または破砕機構によって供給されるときでも、それらは、スクリーニング面への供給流量を調節できないというさらなる欠点を有する。
【先行技術文献】
【特許文献】
【００２３】
【特許文献１】独国特許発明第６２０８８５号明細書
【発明の概要】
【発明が解決しようとする課題】
【００２４】
よって、この状況において、本発明の基となる課題は、リサイクルセンタ、材料ふるい分け場、ごみ処分地または移動する作業現場で直面するニーズに汎用的な態様で適合し得る固形物分離用のディスクスクリーンを提供することにより、前述した先行技術の課題を克服することである。
【００２５】
本発明の別の目的は、最適な方法でスクリーニング面に供給できる固形物分離用のディスクスクリーンを提供することである。
【００２６】
本発明の別の目的は、トラックによって容易に運搬可能である固形物分離用のディスクスクリーンを提供することである。
【００２７】
本発明の別の目的は、残留物を２つまたは３つの画分に分離できる固形物分離用のディスクスクリーンを提供することである。
【００２８】
本発明の別の目的は、極めて迅速な方法でスクリーンを移動でき、高い汎用性で動作する固形物分離用のディスクスクリーンを提供することである。
【００２９】
本発明の別の目的は、粉砕または破砕機構によるループ処理を可能にする固形物分離用のディスクスクリーンを提供することである。
【００３０】
本発明の別の目的は、動作的に完全に信頼できる固形物分離用のディスクスクリーンを提供することである。
【００３１】
本発明の別の目的は、異なる用途分野で汎用的な態様で使用できる固形物分離用のディスクスクリーンを提供することである。
【課題を解決するための手段】
【００３２】
前述した目的に係る発見の技術的特徴が、以下に概説される請求項の内容から明らかに確認される。また、その利点が、そのいくつかの実施形態を純粋に非限定的な目的で表す添付図面を参照して以下に提示される詳細な説明からより明らかになるであろう。
【図面の簡単な説明】
【００３３】
【図１】本発明による固形物分離用のディスクスクリーンの第１の実施形態の斜視図を示す。
【図２】可動ホッパがスクリーニング面の第１の部分に供給する第１の動作位置に配置された状態で、図１のスクリーンを第１の側面図で示す。
【図３】可動ホッパがスクリーニング面の第２の部分に供給する第２の動作位置に配置された状態で、図１のスクリーンを第２の側面図で示す。
【図４】可動ホッパがスクリーニング面の第２の部分に供給する第３の動作位置に配置され、コンパクトな構成を取る状態で、図１のスクリーンを第３の側面図で示す。
【図５】一部分、特にホッパ移動手段をより良く示すように他の部分を除いた状態で、図１のスクリーンの一部分を第４の拡大側面図で示す。
【図６】粉砕機構に関連付けられた、本発明によるスクリーンの例の平面図を示す。
【図７】一部の回転シャフトに複数のディスクが取り付けられた状態で、図１のスクリーンおよびスクリーニング面の一部分に関する詳細を拡大平面図で示す。
【図８】可動ホッパがスクリーニング面の第１の部分に供給する第１の動作位置に配置された状態で、本発明による固形物分離用のディスクスクリーンの第２の実施形態の斜視図を示す。
【図９】可動ホッパがスクリーニング面の第２の部分に供給する第２の動作位置に配置された状態で、図８のスクリーンを第２の斜視図で示す。
【図１０】可動ホッパがスクリーニング面の第２の部分に供給する第３の動作位置に配置され、例えば運搬のために使用され得るコンパクトな構成を取る状態で、図８のスクリーンを第３の斜視図で示す。
【図１１】可動ホッパに接続された伸縮式カバーに関して、図８の動作位置にある、図８のスクリーンの詳細を示す。
【図１２】可動ホッパに接続された伸縮式カバーに関して、図９の動作位置にある、図８のスクリーンの詳細を示す。
【図１３】可動ホッパに接続された伸縮式カバーに関して、図１０の動作位置にある、図８のスクリーンの詳細を示し；かかるカバーの可動部分の摺動ガイドを示すために一部が透明にされている。
【発明を実施するための形態】
【００３４】
添付図面を参照すると、本発明の主題である固形物分離用の可動式ディスクスクリーンの全体が１で示されている。
【００３５】
本発明によるスクリーン１は、例えば：都市固形廃棄物、河成不活性物、分別ごみ収集物の有機画分から成る生成物、コンポスト（その精製用）、再生木材、バイオマス、不活性材、解体材、埋立地およびごみ処分地の埋立材、ガラス、プラスチック、金属くずさらに他の材料などの様々なタイプの固形物を分離するための使用に適している。
【００３６】
可動式スクリーン１は、添付図に示した例のような、それ自体の無限軌道を備えてもよく、または、ロールオフタイプであるという点で可動式であるとみなされてもよい。
【００３７】
本発明の主題であるスクリーンの移動性により、スクリーンは、リサイクルセンタ、材料ふるい分け場、ごみ処分地または移動する作業現場に到達することができる。
【００３８】
添付図に模式的に表すように、ディスクスクリーン１は、直接または無限軌道２０を介して地面に接するように意図された支持構造２を備えており、支持構造には、互いに平行な離間した複数の回転シャフト３が回転可能に取り付けられる。
【００３９】
回転シャフト３は、Ｙで示される長手方向延長軸線を有し、図面に示すように好ましくは実質的に水平であるが、本特許の保護範囲から逸脱せずに傾斜することもできる、スクリーニング面Ｐの敷設を規定する。
【００４０】
入力セクション５から出力セクション６へ推進方向Ｘに沿って残留物を移動させるためにシャフト３を回転させるのに適した駆動手段４が設けられる。
【００４１】
前述したスクリーニング面Ｐは、前述した入力セクション５と前述した出力セクション６との間で残留物の推進方向Ｘに沿って細長い形状で広がる。
【００４２】
本発明の好適な実施形態にしたがって、またそれ自体で従来の方法で、駆動手段４は、電気モータ４ａと、電気モータ４ａに機械的に接続された運動伝達手段とを備える。かかる伝達手段は、モータ４ａのシャフトに固定されたピニオンと、各回転シャフト３にスプライン結合された歯車４ｃとにループ状に巻回され係合されたチェーン４ｂを備える。
【００４３】
スクリーン１は、回転シャフト３に沿って軸方向に連続して取り付けられて回転シャフトから回転運動を受ける複数のディスク８をさらに備える。
【００４４】
より詳細には、ディスク８の集合が、例えば、添付の図７によると、隣接するシャフト上の連続する９個または１０個のディスクによって形成されることができ、各回転シャフト３に取り付けられる。
【００４５】
ディスクの各集合のディスク８は、回転シャフト３の長手方向軸線Ｙの延長に沿って互いに離間して取り付けられる。
【００４６】
さらに、スクリーン１はまた、連続する２つのディスク８の間で対応する回転シャフト３に空回りする状態でそれぞれ取り付けられる複数のスリーブ１０を有利に備える。
【００４７】
ディスク８は代わりに、異なるように回転シャフト３に機械的に回転可能に結合されて、回転シャフトから回転運動を受ける。
【００４８】
機能的には、スクリーン１が動作するときに、モータ４ａは、駆動シャフトのピニオンおよび回転シャフト３の歯車４ｃにループ状に巻回されたチェーン４ｂによって、残留物と衝突して入力セクション５から出力セクション６への推進方向Ｘでスクリーニング面に沿って残留物をスラスト推進させるディスク８を回転させるように回転シャフトを至らしめる同じ方向で、回転シャフト３を回転駆動する。
【００４９】
かかる残留物の推進中に、ディスク８とスリーブ１０との間に形成された開口（スクリーニングセクション）よりも小さな粒径の残留物が、重力でスクリーニング面の下に落下し、よって、実質的に材料のサイズに応じた（および、より少ない程度では、材料を推進させてディスク８の間で多少弾ませる質量に応じた）材料の選別が得られる。
【００５０】
本発明の基となる考え方によれば、スクリーン１は、スクリーニング面Ｐの上方で残留物の推進方向Ｘに沿って支持構造２に摺動可能に取り付けられた可動ホッパ１１をさらに備える。
【００５１】
可動ホッパ１１は、残留物の推進方向Ｘに沿ってスクリーニング面Ｐに供給する出口扉１２を備える。
【００５２】
残留物の推進方向Ｘに沿って可動ホッパ１１を移動させて、その出口扉１２をスクリーニング面Ｐに沿った異なる積載位置に配置するのに適した移動手段１３も設けられる。
【００５３】
可動ホッパ１１によって、残留物は、残留物の選別を最適化するように、また残留物の流量または特徴および寸法の変動に応じて、長い経路または短い経路上で処理することができる。
【００５４】
本発明の好適な実施形態によれば、移動手段１３は、少なくとも１つの軌道１４、好ましくは２つの横方向軌道を備え、横方向軌道は、支持構造２にそれぞれ取り付けられ、可動ホッパ１１に固定された少なくとも１つの対応するガイド１５に係合される。
【００５５】
軌道およびガイドは明らかに、ホッパおよび支持構造２に対して逆の位置に完全に等しい態様で配置することができる。
【００５６】
移動手段１３は、少なくとも１つの線形アクチュエータ１６、好ましくは２つの側方線形アクチュエータをさらに備え、側方線形アクチュエータは、支持構造２および可動ホッパにそれぞれ取り付けられ、可動ホッパを推進方向Ｘに沿って移動させてガイド１５によって軌道１４内を摺動させる。
【００５７】
本発明の主題であるスクリーンの有利な特徴によれば、可動ホッパ１１は、出口扉１２にオーガ１７を備え、オーガは、軸線Ｙ’に沿って推進方向Ｘと交差するように取り付けられ、電気モータ１８によって回転するように作動される。
【００５８】
オーガの出口扉１２は、ホッパ１１の底部１１０とオーガ１７との間に形成されたまま残る。さらに、オーガ１７は、残留物出口扉１２の寸法を変化させるために、底部１１０に対して調節可能な高さで取り付けられる。そうでなければ、図８〜図１３の例によれば、オーガ１７は、述べたように、可動ホッパ１１の底部１１０の前端１１２に対して規定されたままである残留物出口扉１２の寸法を変化させるために、底部１１０に対して予め定められた高さのままで、オーガの位置でホッパの底部１１０の排出部１１２の前端に対して位置を調節することができる。水平ガイド７０がホッパの側部に設けられる。かかるガイドに沿って、例えばねじから成る固定手段によって様々な位置で固定するために、オーガ１７を移動させることができる。
【００５９】
底部１１０は、有利には複数のローラ１１１を伴って得られ、ローラは、ローラにスプライン結合された歯車に接続された伝動用チェーンによって、添付図面では見ることができないモータによって回転するように作動され、不活性物をオーガ１７に向けて押す。
【００６０】
そうでなければ、底部は、コンベヤベルト（図１０〜図１３で見ることができる）を伴って得られてもよい。
【００６１】
よって、オーガ１７は、その速度および／またはその位置によって、スクリーニング面Ｐに積載される残留物の流量を制御する。
【００６２】
好適な実施形態によれば、複数の回転シャフト３は、入力セクション５の方から、第１のスクリーニングセクションを備えるとともにスクリーニング面Ｐの第１の部分Ｐ１を形成する一連の第１の回転シャフト３Ａと、第２のスクリーニングセクションを備えるとともにスクリーニング面Ｐの第２のセクションＰ２を形成する一連の第２の回転シャフト３Ｂとを備える。
【００６３】
一連の第１の回転シャフト３Ａと一連の第２の回転シャフト３Ｂは、スクリーニング面Ｐを通過する２つの異なる残留物セクションを生じるように異なるスクリーニングセクションを有する。
【００６４】
可動ホッパ１１は、移動手段１３によって、スクリーニング面Ｐの第１の部分Ｐ１に供給する少なくとも１つの第１の動作位置Ａと、スクリーニング面Ｐの第２の部分Ｐ２に供給する第２の動作位置Ｂとの間で移動するように作動することができる。
【００６５】
スクリーニング面Ｐの第１の部分Ｐ１の第１のスクリーニングセクションは、有利にはスクリーニング面Ｐの第２の部分Ｐ２の第２のスクリーニングセクションよりも小さく、そのため、スクリーニング面Ｐは全体として、残留物を連続して処理し、まず第１のスクリーニングセクションを用いて最も細かな材料を選別し、次に、第２のスクリーニングセクションを用いてより粗い材料を選別し、より大きな残留物が、スクリーニング面Ｐのトップスクリーンに残る。
【００６６】
有利に、例えば図２および図８に示す、第１の動作位置Ａでは、可動ホッパ１１は、支持構造２からブラケット状に最も突出する。
【００６７】
有利に、スクリーンの支持構造２の全体サイズへと完全に後退する運搬位置Ｃ（図４および図１０を参照）に可動ホッパ１１を移動させることもできる。
【００６８】
さらに、第２の動作位置Ｂ（図３および図９を参照）では、可動ホッパ１１は、支持構造２から中間の長さだけ突出する。
【００６９】
図１１〜図１３に示される本発明の有利な特徴によれば、伸縮式カバー５０が、スクリーニング面Ｐの側縁６０を持ち上げて、可動ホッパの位置の変動に応じて可動ホッパ１１との接続を維持するために設けられる。より詳細には、伸縮式カバー５０は、例えば成形シートで作られ、固定部分５１と可動部分５２とを備え、固定部分５１は、スクリーニング面Ｐの側縁６０に固定され、好ましくは、スクリーニング面Ｐの中間位置に配置され、可動部分５２は、可動ホッパ１１に接続され、カバー５０の固定部分５１に沿って摺動可能にガイドされて（例えば、可動部分５２の上側凹状部分がスライド５４上を摺動する、図１１のスライド５４を参照）可動ホッパ１１を固定部分５１に接続することができる。
【００７０】
代わりに、カバー５０は、非伸縮式タイプとすることができるが、この場合には、スクリーニング面の側縁６０に摺動可能に取り付けられた可動部分５２を１つだけ有する。
【００７１】
よって、本発明の他とは異なるこの特色によって、ホッパを単に移動させることで、残留物の特徴および例えば粉砕機構から来るかかる残留物の流量に応じて選別プロセスを最適化できるのみならず、残留物を３つの異なる画分に分類することもでき、そのうちの１つが、スクリーニング面Ｐの出力セクションから出ていくより大きな材料であり、他の２つの部分が、スクリーニング面Ｐの２つの異なる部分によって選別される。
【００７２】
可動ホッパ１１は、その積載容量を、例えば３立方メートルに増加させるようにプランジャによって拡張できる側縁を有することが好ましい。
【００７３】
有利には、上述したように、スクリーニング面Ｐの第１の部分Ｐ１は、例えば、残留塊から粉塵または非常に細かな材料を事前に除去するために、第２のセクションＰ２よりも小さなスクリーニングセクションを有する。
【００７４】
残留物は、一旦分離されると、可能な有利な実施形態によって以下で特定されるように、運搬されてスクリーンから除去される。
【００７５】
スクリーニング面Ｐの第２の部分Ｐ２（すなわち、スクリーニング面Ｐの最も延長された部分として図に有利に表される部分）を通過した残留物を除去するために、第１のコンベヤベルト１９が設けられ、スクリーニング面Ｐの第２の部分Ｐ２の下に配置されて、そこからの残留物を受け、第１の排出ベルト２０が設けられ、第１のコンベヤベルト１９からの残留物を受けてスクリーンの外へと導く。かかる第１の排出ベルト２０は、推進方向Ｘまたはスクリーン１をより大きく拡張する方向に沿って第１のコンベヤベルト１９と実質的に一直線上に置かれる。
【００７６】
よって、第２の排出ベルト２１が、スクリーニング面Ｐの第１の部分Ｐ１の下に配置され、スクリーニング面Ｐの第１の部分Ｐ１を通過した残留物をスクリーン１の外へと導くために、推進方向Ｘと実質的に交差するように設けられる。
【００７７】
スクリーニング面Ｐを通過しない最も大きな残留物を収集するために、第２のコンベヤベルト２２が設けられ、同じ推進方向Ｘと実質的に交差するように配置され、回転シャフト３からの残留物をスクリーンの出力セクション６で受け、第３の排出ベルト２３が、設けられ、推進方向Ｘと交差するように配置され、第２のコンベヤベルト２２と一直線上に置かれ、そこから残留物を受けてスクリーンの外へと導く。
【００７８】
実質的に、第２のコンベヤベルト２２は、推進方向Ｘ、すなわちスクリーンの主延長から、横の排出方向に残留物を向ける役割を果たし、以下で概説するように、粉砕または破砕機構を伴う残留物循環処理ループを得る可能性のために機能することができる。第２のコンベヤベルト２２は、小さな寸法、すなわち実質的にスクリーンの横全体サイズへと後退させうる寸法を実質的に有する。
【００７９】
スクリーンの動作機能において、支持構造の外部に延びる３つのコンベヤベルトは、有利には伸縮式タイプであり、最小全体サイズ位置を取るように支持構造に接近した位置に移動することができる。
【００８０】
有利には、図６の実施形態によれば、スクリーニング面Ｐを通過しなかったより大きな残留物を閉じたループで何回か処理することができる。より詳細には、本発明のある実施形態によれば、第３の排出ベルト２３は、第２のコンベヤベルト２２から受けた、スクリーニング面Ｐの出力セクション６から来る残留物を粉砕および破砕機構２４に排出することができる。さらに、可動ホッパ１１は、残留物処理ループを得るように、粉砕または破砕機構２４の破砕された残留物をコンベア２５から受けることができる。残留物の処理はまた、スクリーニング面Ｐを通過する程度まで全てが粉砕されると終了することができる。
【図１】
2019089059.tif 000003
【図２】
2019089059.tif 000004
【図３】
2019089059.tif 000005
【図４】
2019089059.tif 000006
【図５】
2019089059.tif 000007
【図６】
2019089059.tif 000008
【図７】
2019089059.tif 000009
【図８】
2019089059.tif 000010
【図９】
2019089059.tif 000011
【図１０】
2019089059.tif 000012
【図１１】
2019089059.tif 000013
【図１２】
2019089059.tif 000014
【図１３】
2019089059.tif 000015
【外国語明細書】
2019089059000001.pdf